(57)【要約】【課題】棚網の撓み防止用の中央支柱を有する跳ね上げ式の乾燥棚において、その棚網の中央支柱からの外れを防止する。【解決手段】棚網６の後方枠部材６ａを通すスリット７ａが設けられた中央支柱７に、そのスリット７ａを覆うカバー７ｂを取り付けることにより、棚網６に乾燥対象の物品を載架するときや棚網６に載架していた物品を取り出すときに、棚網６を跳ね上げるのに必要以上の力で回動させても、棚網６の後方枠部材６ａが中央支柱７のスリット７ａから飛び出して棚網６が中央支柱７から外れることがないようにした。【選択図】図５
0003230801.tif 000002
【実用新案登録請求の範囲】
【請求項１】
左支柱と右支柱の間に、格子状に形成された複数の棚網が、それぞれの後方枠部材の両端部を回動自在に支持される状態で上下方向に所定間隔で架設されるとともに、前記各棚網の後方枠部材を通すスリットを前面側に有し、各棚網の後方枠部材の中央部を回動自在に支持する中央支柱が設けられており、
前記各棚網の後方枠部材の両端部には棚網を上向きに回動させる方向に付勢する跳ね上げばねが設けられ、前記棚網が自然状態では前記跳ね上げばねの付勢力に抗して水平に保持され、その自然状態から人力で上向きに所定角度まで回動させられると、前記跳ね上げばねの付勢力により自動的に跳ね上がるようになっている乾燥棚において、
前記中央支柱の前面側に前記各スリットを覆うカバーが取り付けられていることを特徴とする乾燥棚。
【考案の詳細な説明】
【技術分野】
【０００１】
本考案は、製作途中の絵画等の面状の物品を載架して乾燥させるための乾燥棚に関する。
【背景技術】
【０００２】
学校の教室や絵画塾等、多数の人が同時に絵画作品を製作する場所では、製作途中の作品を乾燥させるために、広い設置面積を必要とせず、多数の未完成の作品を互いに接触しない状態で保持することのできる乾燥棚を設置していることが多い。
【０００３】
上記のような乾燥棚の基本的な構成は、左支柱と右支柱の間に、格子状に形成した複数の棚網を、それぞれの後方枠部材の両端部が回動自在に支持される状態で上下方向に所定間隔で架設し、各棚網の前方枠部材の両端部に棚網どうしを平行に保つとともに棚網を水平に支持する支脚を取り付け、乾燥対象の作品を容易に棚網に載架したり取り出したりできるようにしている（例えば、特許文献１参照。）。
【０００４】
また、この種の乾燥棚では、絵画のほか、プラスチック製の作品等、比較的重量のある面状の物品を棚網に載架して乾燥させることもあるので、そのような場合に棚網の撓みが物品の性状に影響することを防止するために、各棚網の後方枠部材の中央部を回動自在に支持する中央支柱を設けているものがある。
【０００５】
また、多数の作品を順次棚網に載架したり取り出したりする作業（出し入れ作業）をしやすくするために、各棚網の後方枠部材の両端部に棚網を上向きに回動させる方向に付勢する跳ね上げばねを設け、棚網が自然状態では跳ね上げばねの付勢力に抗して水平に保持され、その自然状態から人力で上向きに所定角度まで回動させられると、跳ね上げばねの付勢力により自動的に跳ね上がるようにした跳ね上げ式のものもある。
【先行技術文献】
【特許文献】
【０００６】
【特許文献１】実開昭５５−２８８７３号公報
【考案の概要】
【考案が解決しようとする課題】
【０００７】
ところで、上記のような棚網の撓み防止用の中央支柱を有する乾燥棚では、その中央支柱の加工性や組立性の点から、中央支柱として各棚網の後方枠部材を前面側のスリットに通した状態で支持するものを採用することが多い。そして、このようなスリットが設けられた中央支柱を有する乾燥棚を跳ね上げ式とした場合には、乾燥対象の物品の出し入れ作業において、棚網を人力で回動させたときに、その力が余って棚網の後方枠部材の中央部が中央支柱のスリットから飛び出すことにより、棚網が中央支柱から外れてしまい、その修復に手間がかかることがある。
【０００８】
そこで、本考案は、棚網の撓み防止用の中央支柱を有する跳ね上げ式の乾燥棚において、その棚網の中央支柱からの外れを防止することを課題とする。
【課題を解決するための手段】
【０００９】
上記の課題を解決するため、本考案は、左支柱と右支柱の間に、格子状に形成された複数の棚網が、それぞれの後方枠部材の両端部を回動自在に支持される状態で上下方向に所定間隔で架設されるとともに、前記各棚網の後方枠部材を通すスリットを前面側に有し、各棚網の後方枠部材の中央部を回動自在に支持する中央支柱が設けられており、前記各棚網の後方枠部材の両端部には棚網を上向きに回動させる方向に付勢する跳ね上げばねが設けられ、前記棚網が自然状態では前記跳ね上げばねの付勢力に抗して水平に保持され、その自然状態から人力で上向きに所定角度まで回動させられると、前記跳ね上げばねの付勢力により自動的に跳ね上がるようになっている乾燥棚において、前記中央支柱の前面側に前記各スリットを覆うカバーが取り付けられている構成を採用したものである。
【００１０】
上記の構成によれば、乾燥対象の物品の出し入れ作業において、棚網を人力で回動させたときに、その力の大きさによらず、棚網の後方枠部材の中央部が中央支柱のスリットから飛び出すおそれがなく、棚網の中央支柱からの外れを防止することができる。
【考案の効果】
【００１１】
本考案の乾燥棚は、上述したように、複数の棚網の後方枠部材を通すスリットが設けられた中央支柱に、そのスリットを覆うカバーを取り付けたものであるから、乾燥対象の物品の出し入れ作業において、棚網を跳ね上げるのに必要以上の力で回動させても、棚網の後方枠部材が中央支柱のスリットから飛び出して棚網が中央支柱から外れることはなく、効率よく作業することができる。
【図面の簡単な説明】
【００１２】
【図１】実施形態の乾燥棚の正面図
【図２】図１のII−II線に沿った断面図
【図３】図１の棚網の外観斜視図
【図４】（ａ）は図１の水平に保持されている棚網の左側端部付近の要部拡大正面図（下段側の跳ね上げばねは省略）、（ｂ）は（ａ）のIV−IV線に沿った断面図
【図５】図１の中央支柱による棚網の支持状態を示す要部拡大斜視図
【考案を実施するための形態】
【００１３】
以下、図面に基づき本考案の実施形態を説明する。この乾燥棚は、製作途中の絵画等の面状の物品を載架して乾燥させるためのもので、図１および図２に示すように、左右両側にそれぞれ短尺の前方柱部材１と長尺の後方柱部材２を上下２本の側方連結杆３で連結した左支柱と右支柱を備え、その左右の前方柱部材１どうしが上下２本の前方連結杆４で、後方柱部材２どうしが上部１本と下部２本の後方連結杆５でそれぞれ連結されており、左右支柱間に複数の棚網６が上下方向に所定間隔で架設されている。また、左右の後方柱部材２の間には、物品が載架された棚網６の撓みを防止するための中央支柱７が設けられている。中央支柱７は、各後方柱部材２よりもやや短く、上端部と下端部が１本ずつ後方連結杆５を通す状態で、その２本の後方連結杆５に固定されている。また、各前方柱部材１および各後方柱部材２の下端部には、乾燥棚全体を移動させるためのキャスター８が取り付けられている。
【００１４】
前記前方柱部材１、後方柱部材２および中央支柱７はアルミニウム製の角パイプで、側方連結杆３、前方連結杆４および後方連結杆５はアルミニウム製の丸パイプでそれぞれ形成されており、これらの部材どうしの連結はねじ止めで行われている。
【００１５】
前記棚網６は、図３にも示すように、略矩形の面状のもので、直線状の後方枠部材６ａと、前枠部の両端から側枠部が延びるコの字状の前方枠部材６ｂとからなる枠の内側に、複数の桟部材６ｃを格子状に設けている。その後方枠部材６ａ、前方枠部材６ｂおよび桟部材６ｃはそれぞれ鋼製の線材からなり、互いに溶接によって接合されている。そして、枠幅方向にわずかに突出している後方枠部材６ａ両端部が、それぞれ左右の後方柱部材２の内側面に上下方向に所定間隔であけられた孔（図示省略）に挿入されて回動自在に支持されるようになっている。
【００１６】
図１および図４（ａ）、（ｂ）に示すように、各棚網６の後方枠部材６ａには、それぞれの両端部のうちで後方柱部材２に挿入されていない部位の外周に、ねじりコイルばねからなる跳ね上げばね９が装着されている。その跳ね上げばね９は、一端側の腕の先端部がＵ字状に折り曲げられて前方枠部材６ｂの側枠部に掛けられるとともに、他端側の腕の先端部がく字状に折り曲げられて、すぐ下の跳ね上げばね９と後方柱部材２との間で後方枠部材６ａの端部に掛けられる（最下段の棚網６の跳ね上げばね９のみ、他端側の腕の先端部がその近傍を通る後方連結杆５にあけられた孔の縁に掛けられる）ことにより、棚網６を上向きに回動させる方向に付勢している。
【００１７】
そして、図１乃至図３に示すように、各棚網６の前方枠部材６ｂの前枠部とそのすぐ後方で左右方向に延びる桟部材６ｃのそれぞれの両端近傍の下面側に、鋼製の帯板を略Ｐ字形に折り曲げて形成した支脚１０が溶接によって取り付けられている。
【００１８】
ここで、各棚網６は、自然状態では、跳ね上げばね９の付勢力に抗して、それぞれの支脚１０がすぐ下の棚網６の前方枠部材６ｂに乗る状態で水平に保持される（最下段の棚網６のみ、支脚１０が上側の前方連結杆４に乗る状態となる）。これは、棚網６の水平に対する傾斜角度が小さいと、棚網６の自重の影響が跳ね上げばね９の付勢力よりも大きくなるからである。そして、棚網６をその自然状態から人力で上向きに所定角度まで回動させると、棚網６の自重の影響が小さくなって、跳ね上げばね９の付勢力により棚網６が自動的に跳ね上がるようになっている。
【００１９】
また、図５に示すように、各棚網６の後方枠部材６ａは、それぞれの中央部が中央支柱７の前面側に形成されたスリット７ａに通されて、中央支柱７に回動自在に支持されている。そして、中央支柱７の前面側には、各スリット７ａを覆うカバー７ｂが取り付けられている。
【００２０】
この乾燥棚は、上記のような構成の跳ね上げ式のものであり、自然状態ではすべての棚網６が水平に所定間隔で保持され、棚網６に乾燥対象の物品を載架するときや棚網６に載架していた物品を取り出すときは（物品の出し入れ作業のときは）、棚網６を人力でわずかに上向きに回動させるだけで棚網６が自動的に跳ね上がるので、多数の物品を順次出し入れする作業がしやすい。
【００２１】
また、棚網６の後方枠部材６ａを通すスリット７ａが設けられた中央支柱７には、そのスリット７ａを覆うカバー７ｂを取り付けているので、物品の出し入れ作業において、棚網６を跳ね上げるのに必要以上の力で回動させても、棚網６の後方枠部材６ａが中央支柱７のスリット７ａから飛び出して棚網６が中央支柱７から外れることはなく、効率よく作業することができる。
【００２２】
今回開示された実施の形態はすべての点で例示であって制限的なものではないと考えられるべきである。この考案の範囲は、上記した説明ではなくて、実用新案登録請求の範囲によって示され、実用新案登録請求の範囲と均等の意味および範囲内でのすべての変更が含まれることが意図される。
【符号の説明】
【００２３】
１  前方柱部材
２  後方柱部材
３  側方連結杆
４  前方連結杆
５  後方連結杆
６  棚網
６ａ  後方枠部材
６ｂ  前方枠部材
６ｃ  桟部材
７  中央支柱
７ａ  スリット
７ｂ  カバー
８  キャスター
９  跳ね上げばね
１０  支脚
【図１】
0003230801.tif 000003
【図２】
0003230801.tif 000004
【図３】
0003230801.tif 000005
【図４】
0003230801.tif 000006
【図５】
0003230801.tif 000007